(57)【要約】  通信回線品質推定装置（３）は、第一の数の直交系列のうち第一の数より小さい第二の数の直交系列から選択された直交系列を用いて生成された信号を受信した受信信号に対して、第一の数の直交系列に対応した相関処理を行う相関処理部（３０２）と、相関処理部（３０２）の相関処理結果である相関値のうち、第二の数の直交系列に対応する相関値を合成する合成部（３１０）と、合成部（３１０）で合成された相関値を用いて第一の電力値を算出する第一の電力計算部（３０６）と、を備え、第一の電力値を通信回線品質推定結果とする。
2018163290.tif 000002
【特許請求の範囲】
【請求項１】
第一の数の直交系列のうち第一の数より小さい第二の数の直交系列から選択された直交系列を用いて生成された信号を受信した受信信号に対して、前記第一の数の直交系列に対応した相関処理を行う相関処理部と、
前記相関処理部の相関処理結果である相関値のうち、前記第二の数の直交系列に対応する相関値を合成する合成部と、
前記合成部で合成された相関値を用いて第一の電力値を算出する第一の電力計算部と、
を備え、
前記第一の電力値を通信回線品質推定結果とすることを特徴とする通信回線品質推定装置。
【請求項２】
前記相関処理部の相関処理結果である相関値のうち、前記第一の数の直交系列のうち前記第二の数の直交系列以外の直交系列に対応する相関値を用いて第二の電力値を算出する第二の電力計算部と、
前記第一の電力値および前記第二の電力値に基づいて通信回線品質推定を行う電力比較部と、
を備え、
前記電力比較部で推定された結果を通信回線品質推定結果とすることを特徴とする請求項１に記載の通信回線品質推定装置。
【請求項３】
前記通信回線品質推定結果に基づいて、通信回線品質の変動周期を推定する変動周期推定部、
を備えることを特徴とする請求項１または２に記載の通信回線品質推定装置。
【請求項４】
前記変動周期推定部は、
前記通信回線品質推定結果と規定されたしきい値とを比較し、前記通信回線品質推定結果を離散化した通信回線品質推定結果に変換する比較部と、
前記離散化した通信回線品質推定結果に基づいて通信回線品質の変動を検出する微分処理部と、
前記通信回線品質の変動に基づいて、前記通信回線品質の変動周期を推定する周期算出部と、
を備えることを特徴とする請求項３に記載の通信回線品質推定装置。
【請求項５】
第一の数の直交系列のうち第一の数より小さい第二の数の直交系列から選択した直交系列を用いて信号を生成するシンボル生成部と、
前記シンボル生成部で生成された前記信号を、請求項１から４のいずれか１つに記載の通信回線品質推定装置を備える受信装置に送信する送信部と、
を備えることを特徴とする送信装置。
【請求項６】
相関処理部が、第一の数の直交系列のうち第一の数より小さい第二の数の直交系列から選択された直交系列を用いて生成された信号を受信した受信信号に対して、前記第一の数の直交系列に対応した相関処理を行う相関処理ステップと、
合成部が、前記相関処理ステップでの相関処理結果である相関値のうち、前記第二の数の直交系列に対応する相関値を合成する合成ステップと、
第一の電力計算部が、前記合成ステップで合成された相関値を用いて第一の電力値を算出する第一の電力計算ステップと、
を含み、
前記第一の電力値を通信回線品質推定結果とすることを特徴とする通信回線品質推定方法。
【請求項７】
さらに、
第二の電力計算部が、前記相関処理ステップでの相関処理結果である相関値のうち、前記第一の数の直交系列のうち前記第二の数の直交系列以外の直交系列に対応する相関値を用いて第二の電力値を算出する第二の電力計算ステップと、
電力比較部が、前記第一の電力値および前記第二の電力値に基づいて通信回線品質推定を行う電力比較ステップと、
を含み、
前記電力比較ステップで推定された結果を通信回線品質推定結果とすることを特徴とする請求項６に記載の通信回線品質推定方法。
【発明の詳細な説明】
【技術分野】
【０００１】
本発明は、通信回線品質を推定する通信回線品質推定装置、送信装置および通信回線品質推定方法に関する。
【背景技術】
【０００２】
ディジタル無線通信装置は、送信電力制御および適応変調といった送信モードの制御、受信機における復調処理などに使用するため、一般的に信号電力対雑音電力比（以下、ＳＮＲ（Signal  to  Noise  power  Ratio）とする）などの通信回線品質を測定している。【０００３】
ディジタル無線通信装置に用いられる変調方式に、送信情報ビットを直交系列に割り当てて伝送を行う直交変調方式がある。直交変調方式は、使用する直交系列の次元が大きい場合に白色ガウス雑音伝送路のビット誤り率を低く抑えることができ、高い電力効率が求められる通信システムで特に有用な方式である。直交変調方式は、変調に用いる系列の組み合わせとして、互いに直交していれば任意のものを用いることができる。例えば、送信情報ビットに応じて、異なる周波数を有する正弦波の組から一つを選んで送信する直交ＦＳＫ（Frequency  Shift  Keying）も直交変調方式の一種とみなすことができる。直交ＦＳＫは、正弦波が定包絡線信号であることから、送信信号のＰＡＰＲ（Peak  to  Average  Power  Ratio）が小さくなり、送信機の送信アンプを効率よく使用できるといった利点も併せ持つ。【０００４】
従来の直交変調方式を用いたディジタル無線通信装置の通信回線品質推定技術として、特許文献１には、直交変調技術の一つであるＭ−ａｒｙ通信において既知信号を送信し、受信した既知信号に対して相関器を適用して通信回線品質を推定する技術が開示されている。特許文献１では、送信装置が既知信号を送信しているため、受信装置は、既知信号パターンに該当する相関器出力を通信波成分とみなし、その他の相関器出力を雑音成分のみとみなすことができる。
【先行技術文献】
【特許文献】
【０００５】
【特許文献１】特開２００８−１４１５４５号公報
【発明の概要】
【発明が解決しようとする課題】
【０００６】
しかしながら、上記従来の技術によれば、送信装置は既知信号を送信する必要があるため、通信効率が低下する、という問題があった。【０００７】
本発明は、上記に鑑みてなされたものであって、直交系列を用いた情報伝送において通信効率を低下させることなく通信回線品質を推定可能な通信回線品質推定装置を得ることを目的とする。
【課題を解決するための手段】
【０００８】
上述した課題を解決し、目的を達成するために、本発明の通信回線品質推定装置は、第一の数の直交系列のうち第一の数より小さい第二の数の直交系列から選択された直交系列を用いて生成された信号を受信した受信信号に対して、第一の数の直交系列に対応した相関処理を行う相関処理部を備える。また、通信回線品質推定装置は、相関処理部の相関処理結果である相関値のうち、第二の数の直交系列に対応する相関値を合成する合成部を備える。また、通信回線品質推定装置は、合成部で合成された相関値を用いて第一の電力値を算出する第一の電力計算部を備える。通信回線品質推定装置は、第一の電力値を通信回線品質推定結果とすることを特徴とする。
【発明の効果】
【０００９】
本発明にかかる通信回線品質推定装置は、直交系列を用いた情報伝送において通信効率を低下させることなく通信回線品質を推定できる、という効果を奏する。
【図面の簡単な説明】
【００１０】
【図１】実施の形態１にかかる送信装置の構成例を示すブロック図
【図２】実施の形態１にかかる送信装置の動作を示すフローチャート
【図３】実施の形態１にかかる送信装置のシンボル生成部が４ＦＳＫを用いて情報伝送を行う場合に定義されるサブキャリアの例を示す図
【図４】実施の形態１にかかる受信装置の構成例を示すブロック図
【図５】実施の形態１にかかる受信装置の動作を示すフローチャート
【図６】実施の形態１にかかる通信回線品質推定装置の処理回路をプロセッサおよびメモリで構成する場合の例を示す図
【図７】実施の形態１にかかる通信回線品質推定装置の処置回路を専用のハードウェアで構成する場合の例を示す図
【図８】実施の形態１にかかる送信装置のシンボル生成部が４ＦＳＫを用いて情報伝送を行う場合に定義されるサブキャリアの他の例を示す図
【図９】実施の形態２にかかる受信装置の構成例を示すブロック図
【図１０】実施の形態２にかかる受信装置の動作を示すフローチャート
【図１１】実施の形態２にかかる通信回線品質推定装置の比較部において離散化する対象のＳＮＲのイメージを例示する図
【図１２】実施の形態２にかかる通信回線品質推定装置の比較部における処理結果である離散化したＳＮＲの第一の例を示す図
【図１３】実施の形態２にかかる通信回線品質推定装置の比較部における処理結果である離散化したＳＮＲの第二の例を示す図
【図１４】実施の形態２にかかる通信回線品質推定装置の比較部における処理結果である離散化したＳＮＲの第三の例を示す図
【発明を実施するための形態】
【００１１】
以下に、本発明の実施の形態にかかる通信回線品質推定装置、送信装置および通信回線品質推定方法を図面に基づいて詳細に説明する。なお、この実施の形態によりこの発明が限定されるものではない。
【００１２】
実施の形態１．
まず、通信回線品質推定装置を備える受信装置に対して、高周波無線信号を送信する送信装置の構成および動作について説明する。図１は、実施の形態１にかかる送信装置１の構成例を示すブロック図である。送信装置１は、シンボル生成部１００と、送信高周波処理部１０１と、送信アンテナ１０２と、を備える。なお、送信高周波処理部１０１および送信アンテナ１０２をあわせて送信部とする。また、図２は、実施の形態１にかかる送信装置１の動作を示すフローチャートである。
【００１３】
シンボル生成部１００は、送信すべき情報ビット系列が入力されると、情報ビット系列と１対１に対応付けられた直交系列を選択し、直交変調シンボルとして出力する処理を行う。本実施の形態では、以下、直交したサブキャリアを用いて情報伝送を行う直交ＦＳＫに基づいて構成した直交変調方式を用いるものとして説明する。この場合、シンボル生成部１００は、情報ビット系列に応じて、異なる周波数を持つ直交したサブキャリアを選択し、選択したサブキャリアに対応する正弦波を直交変調シンボル、すなわち送信シンボルとして出力する。なお、送信シンボルを単に信号と称する場合がある。
【００１４】
ここで、シンボル生成部１００は、情報伝送に必要なサブキャリア数より多くのサブキャリアを定義する。図３は、実施の形態１にかかる送信装置１のシンボル生成部１００が４ＦＳＫを用いて情報伝送を行う場合に定義されるサブキャリアの例を示す図である。図３において、サブキャリア２００〜２０３は、シンボル生成部１００で情報伝送の際に選択対象となる４ＦＳＫのサブキャリアであり、サブキャリア２０４〜２０７は、シンボル生成部１００で情報伝送の際に選択対象とならないサブキャリアである。４ＦＳＫでは１シンボルで２ビットの伝送を行えるので、例えば、サブキャリア２００をビット「００」に、サブキャリア２０１をビット「０１」に、サブキャリア２０２をビット「１０」に、サブキャリア２０３をビット「１１」に割り当てることとする。
【００１５】
シンボル生成部１００は、情報ビット系列に応じて該当するサブキャリアを選択し、送信シンボルを生成する（ステップＳ１）。シンボル生成部１００は、生成した送信シンボルを送信高周波処理部１０１に受け渡す。このように、シンボル生成部１００は、直交したサブキャリアを８本定義し、そのうちの４本のみの直交したサブキャリアを用いて信号を伝送する。ここで、情報伝送に必要なサブキャリア数より多く定義したサブキャリアの数を第一の数とし、情報伝送に必要なサブキャリア数を第二の数とする。前述の例では、第一の数は「８」となり、第二の数は「４」となる。なお、第一の数＞第二の数である。
【００１６】
送信高周波処理部１０１は、シンボル生成部１００から受け渡された送信シンボルに対して、ＤＡ（Digital  to  Analog）変換、アップコンバートなど、送信アンテナ１０２から高周波無線信号として送信するために必要な高周波処理を実施する。送信高周波処理部１０１は、送信シンボルから高周波無線信号を生成し、送信アンテナ１０２を介して高周波無線信号を送信する（ステップＳ２）。
【００１７】
つぎに、通信回線品質推定装置３を備える受信装置２の構成および動作について説明する。図４は、実施の形態１にかかる受信装置２の構成例を示すブロック図である。受信装置２は、受信アンテナ３００と、受信高周波処理部３０１と、相関処理部３０２と、判定部３０３と、サブキャリア合成部３０４と、シンボル間合成部３０５と、第一の電力計算部３０６と、第二の電力計算部３０７と、平均化処理部３０８と、電力比計算部３０９と、を備える。受信装置２の構成のうち、相関処理部３０２、サブキャリア合成部３０４、シンボル間合成部３０５、第一の電力計算部３０６、第二の電力計算部３０７、平均化処理部３０８、および電力比計算部３０９が、通信回線品質推定装置３を構成している。通信回線品質推定装置３のうち、サブキャリア合成部３０４およびシンボル間合成部３０５が、合成部３１０を構成している。また、図５は、実施の形態１にかかる受信装置２の動作を示すフローチャートである。
【００１８】
受信アンテナ３００で受信された高周波無線信号は、受信高周波処理部３０１へ受け渡される。受信高周波処理部３０１は、ダウンコンバート、アナログ帯域制限フィルタ処理、ＡＤ（Analog  to  Digital）変換処理などの処理を行い、複素ベースバンド受信信号を生成する（ステップＳ１１）。なお、図示していないが、受信高周波処理部３０１は、当業者に良く知られた周波数同期、タイミング同期などの受信信号同期処理、また、波形等化処理なども適宜実施してもよい。受信高周波処理部３０１は、生成した複素ベースバンド受信信号を相関処理部３０２に受け渡す。なお、複素ベースバンド受信信号を単に受信信号と称する場合がある。
【００１９】
相関処理部３０２は、送信装置１のシンボル生成部１００で用いられる直交系列と同一の系列を保持しており、受け渡された複素ベースバンド受信信号に対して、保持している直交系列を用いて相関処理を行う（ステップＳ１２）。シンボル生成部１００が図３に例示した８本のサブキャリアに基づいて直交系列を選択している場合、相関処理部３０２は、８ポイントのＤＦＴ（Discrete  Fourier  Transform）を適用することで相関処理を実施可能である。相関処理部３０２は、相関処理を実施した結果、相関値として図３のサブキャリア２００〜２０７に対応する８通りの複素サブキャリア信号を得ることができる。相関処理部３０２は、得られた相関値である複素サブキャリア信号を、判定部３０３、サブキャリア合成部３０４、および第二の電力計算部３０７に受け渡す。
【００２０】
判定部３０３は、相関処理部３０２から受け渡された複素サブキャリア信号のうち、情報伝送に用いられる４ＦＳＫに対応するもののみを対象として送信信号の判定を行う（ステップＳ１３）。判定部３０３は、例えば、複素サブキャリア信号の電力値を比較して最大となる複素サブキャリア信号に対応するサブキャリアが送信されていると判定してもよいし、複素サブキャリア信号の実軸成分が大きいサブキャリアが送信されていると判定してもよいし、判定方法は限定されない。判定部３０３は、判定結果を、図示しない後段の構成に出力する。
【００２１】
受信装置２では、後述するサブキャリア合成部３０４、シンボル間合成部３０５、第一の電力計算部３０６、第二の電力計算部３０７、および電力比計算部３０９の処理によって、通信回線品質の推定を行う。実施の形態１では、受信装置２は、電力比計算部３０９から、通信回線品質推定結果としてＳＮＲを出力する。
【００２２】
サブキャリア合成部３０４は、第一の合成処理として、相関処理部３０２から受け渡される８通りの複素サブキャリア信号のうち、情報伝送に用いられる４ＦＳＫのサブキャリアに対応する複素サブキャリア信号を選択し、足し合わせる（ステップＳ１４）。サブキャリア合成部３０４は、図３の例では、サブキャリア２００〜２０３に対応する４通りの複素サブキャリア信号を足し合わせることになる。サブキャリア合成部３０４は、足し合わせた複素サブキャリア信号をシンボル間合成部３０５に受け渡す。
【００２３】
シンボル間合成部３０５は、第二の合成処理として、サブキャリア合成部３０４から受け渡された、足し合わされた複素サブキャリア信号を、異なる複数の送信シンボル間で足し合わせる処理を行う（ステップＳ１５）。例えば、３シンボル分の加算を行うように構成されていると仮定し、ある時刻ｎにおいてサブキャリア合成部３０４から受け渡された、足し合わされた複素サブキャリア信号をｘ（ｎ）と表現する。シンボル間合成部３０５は、「ｘ（ｎ）＋ｘ（ｎ−１）＋ｘ（ｎ−２）」という計算を行う。シンボル間合成部３０５は、処理結果すなわち合成した複素サブキャリア信号を第一の電力計算部３０６に受け渡す。通信回線品質推定装置３において、合成部３１０は、相関処理部３０２からの８通りの複素サブキャリア信号のうち、情報伝送に用いられる４ＦＳＫのサブキャリアに対応する複素サブキャリア信号を合成する処理を行っている。
【００２４】
第一の電力計算部３０６は、シンボル間合成部３０５から受け渡された、合成された複素サブキャリア信号の電力値を算出する。第一の電力計算部３０６は、例えば、ある時刻ｎにおいて受け渡された、合成された複素サブキャリア信号をｗ（ｎ）と表現すると、電力値を｜ｗ（ｎ）｜2として算出できる。第一の電力計算部３０６が算出した電力値を第一の電力値とする。第一の電力計算部３０６は、第一の電力値を算出すなわち生成し、電力比計算部３０９に受け渡す（ステップＳ１６）。
【００２５】
第二の電力計算部３０７は、相関処理部３０２から受け渡された８通りの複素サブキャリア信号のうち、情報伝送に用いられる４ＦＳＫのサブキャリアではない、すなわち情報伝送に用いられないサブキャリアに対応する複素サブキャリア信号を選択する。第二の電力計算部３０７は、図３の例では、サブキャリア２０４〜２０７に対応する４通りの複素サブキャリア信号を選択することになる。第二の電力計算部３０７は、選択した複素サブキャリア信号について、複素サブキャリア信号毎に電力値を算出し、更に算出した電力値を加算する（ステップＳ１７）。加算後の電力値を第二の電力値とする。例えば、図３のサブキャリア２０４〜２０７に対応する複素サブキャリア信号をそれぞれｙ（１），ｙ（３），ｙ（５），ｙ（７）と表現する。第二の電力計算部３０７は、「｜ｙ（１）｜2＋｜ｙ（３）｜2＋｜ｙ（５）｜2＋｜ｙ（７）｜2」という計算を行うことになる。第二の電力計算部３０７は、第二の電力値を平均化処理部３０８に受け渡す。
【００２６】
平均化処理部３０８は、第二の電力計算部３０７から受け渡された第二の電力値を送信シンボル間で平均化する処理を行う（ステップＳ１８）。例えば、平均化処理部３０８は、３シンボル分の単純平均を行うように構成されていると仮定する。ある時刻ｎにおいて第二の電力計算部３０７から受け渡された第二の電力値をz（ｎ）と表現する。平均化処理部３０８は、「（ｚ（ｎ）＋z（ｎ−１）＋ｚ（ｎ−２））／３」という計算を行う。平均化処理部３０８は、第二の電力値を平均化し、平均化後の第二の電力値を電力比計算部３０９に受け渡す。平均化方法は任意の手法を適用可能であり、特に限定されない。
【００２７】
電力比計算部３０９は、第一の電力計算部３０６から受け渡された第一の電力値と、平均化処理部３０８から受け渡された平均化後の第二の電力値との比を計算する。前述のように、第一の電力値は、情報伝送に用いられる４ＦＳＫのサブキャリアに対応する複素サブキャリア信号に基づいて算出されており、通信波の信号電力の推定結果となる。また、平均化後の第二の電力値は、情報伝送に用いられる４ＦＳＫのサブキャリアではない、すなわち情報伝送に用いられないサブキャリアに対応する複素サブキャリア信号に基づいて算出されており、雑音電力の推定結果となる。電力比計算部３０９は、第一の電力値を平均化後の第二の電力値で割ることで、通信回線品質推定結果としてＳＮＲを算出する（ステップＳ１９）。電力比計算部３０９は、算出したＳＮＲを出力する。
【００２８】
つづいて、受信装置２のハードウェア構成について説明する。受信装置２において、受信アンテナ３００はアンテナ素子である。受信高周波処理部３０１は受信機能を有するインターフェース回路である。相関処理部３０２、判定部３０３、サブキャリア合成部３０４、シンボル間合成部３０５、第一の電力計算部３０６、第二の電力計算部３０７、平均化処理部３０８、および電力比計算部３０９、すなわち通信回線品質推定装置３は処理回路により実現される。すなわち、通信回線品質推定装置３は、通信回線品質を推定するための処理回路を備える。処理回路は、メモリに格納されるプログラムを実行するプロセッサおよびメモリであってもよいし、専用のハードウェアであってもよい。なお、処理回路については、通信回線品質推定装置３を実現する処理回路および判定部３０３を実現する処理回路のように複数で構成してもよいし、前述のように判定部３０３および通信回線品質推定装置３をまとめて実現する１つの処理回路で構成してもよい。
【００２９】
図６は、実施の形態１にかかる通信回線品質推定装置３の処理回路をプロセッサおよびメモリで構成する場合の例を示す図である。処理回路がプロセッサ９１およびメモリ９２で構成される場合、通信回線品質推定装置３の処理回路の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをプロセッサ９１が読み出して実行することにより、各機能を実現する。すなわち、通信回線品質推定装置３において、処理回路は、通信回線品質を推定することが結果的に実行されることになるプログラムを格納するためのメモリ９２を備える。また、これらのプログラムは、通信回線品質推定装置３の手順および方法をコンピュータに実行させるものであるともいえる。
【００３０】
ここで、プロセッサ９１は、ＣＰＵ（Central  Processing  Unit）、処理装置、演算装置、マイクロプロセッサ、マイクロコンピュータ、またはＤＳＰ（Digital  Signal  Processor）などであってもよい。また、メモリ９２には、例えば、ＲＡＭ（Random  Access  Memory）、ＲＯＭ（Read  Only  Memory）、フラッシュメモリ、ＥＰＲＯＭ（Erasable  Programmable  ROM）、ＥＥＰＲＯＭ（登録商標）（Electrically  EPROM）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００３１】
図７は、実施の形態１にかかる通信回線品質推定装置３の処置回路を専用のハードウェアで構成する場合の例を示す図である。処理回路が専用のハードウェアである場合、図７に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。通信回線品質推定装置３の各機能を機能別に処理回路９３で実現してもよいし、各機能をまとめて処理回路９３で実現してもよい。
【００３２】
なお、通信回線品質推定装置３の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００３３】
通信回線品質推定装置３のハードウェア構成について説明したが、送信装置１のハードウェア構成も同様である。送信装置１において、送信アンテナ１０２はアンテナ素子である。送信高周波処理部１０１は送信機能を有するインターフェース回路である。シンボル生成部１００は処理回路により実現される。送信装置１の処理回路は、通信回線品質推定装置３と同様、メモリに格納されるプログラムを実行するプロセッサおよびメモリであってもよいし、専用のハードウェアであってもよい。
【００３４】
以上説明したように、本実施の形態によれば、受信装置２において、通信回線品質推定装置３は、ＦＳＫのサブキャリアに対応する複素サブキャリア信号を合成して電力値を算出することで通信波の信号電力を算出する。送信装置１のシンボル生成部１００で選択されたサブキャリアに対応する相関処理部３０２からの出力である複素サブキャリア信号には、理想的には選択されているサブキャリアによらず複素平面上で実軸のみに信号成分が存在する。一方で、送信装置１のシンボル生成部１００で選択されていないサブキャリアに対応する相関処理部３０２からの出力である複素サブキャリア信号には、ランダムな雑音成分のみが存在する。通信回線品質推定装置３は、同一シンボル内のサブキャリア間で複素サブキャリア信号を合成し、更に異なるシンボル間で合成する。これにより、通信波の信号成分は残留し、雑音成分は平均化されて小さくなることが期待でき、受信装置２は、データシンボルを用いて通信波の信号電力を推定可能となる。通信回線品質推定装置３は、直交系列を用いて情報伝送を行う場合に、既知信号を送信することなく、すなわち通信効率を低下させることなく、通信回線品質を推定できる。
【００３５】
また、本実施の形態では、直交ＦＳＫを用いる送信装置１において、情報伝送に用いるサブキャリア数を超えるサブキャリアを定義する。また、通信回線品質推定装置３において、情報伝送に用いるＦＳＫのサブキャリアに対応しない複素サブキャリア信号の電力値から雑音電力を算出するように構成した。これにより、通信回線品質推定装置３は、直交変調方式の信号を復調する処理で備わっている相関器の出力をそのまま用いることで、簡易にデータシンボルにおける雑音電力を推定可能となる。
【００３６】
なお、本実施の形態では、直交変調方式の一例として直交ＦＳＫを用いて説明したがこれに限定されず、任意の直交系列を用いた変調方式を採用可能である。例えば、直交系列としてアダマール系列を用いることも可能である。
【００３７】
また、本実施の形態では、第一の電力値を算出する際、サブキャリア合成部３０４およびシンボル間合成部３０５で複素サブキャリア信号を加算しているが、これに限定されず、平均化処理としてもよい。例えば、シンボル間合成部３０５は、３シンボル分の加算を行った結果を３で割るような平均化処理を適宜用いてもよい。
【００３８】
また、本実施の形態では、送信装置１のシンボル生成部１００で選択対象の直交サブキャリアを図３に例示したように選択対象にならない直交サブキャリアと交互に配置されるように構成したが、これに限定されず任意の配置を定義してもよい。図８は、実施の形態１にかかる送信装置１のシンボル生成部１００が４ＦＳＫを用いて情報伝送を行う場合に定義されるサブキャリアの他の例を示す図である。図８において、サブキャリア４００〜４０３は、シンボル生成部１００で情報伝送の際に選択対象となる４ＦＳＫのサブキャリアであり、サブキャリア４０４〜４０７は、シンボル生成部１００で情報伝送の際に選択対象とならないサブキャリアである。更に、直交系列の数も任意の値にしてもよい。シンボル生成部１００は、例えば、４ＦＳＫを用いて信号伝送する際に、サブキャリア数を１６本としてもよい。また、シンボル生成部１００で選択対象の直交系列の組み合わせを、あらかじめ定められた規則に従ってシンボル毎に変更するように構成してもよい。この場合、受信装置２のサブキャリア合成部３０４および第二の電力計算部３０７は、あらかじめ定められた規則に従って使用する複素サブキャリア信号を変更する。このように構成することで、例えば、周波数選択性フェージングなどによって特定のサブキャリアの電力が落ち込んでしまうような状況においても、受信装置２は、通信波の電力値を精度よく推定することが可能となる。
【００３９】
また、本実施の形態では、通信回線品質の推定結果としてＳＮＲを出力するように構成したが、これに限定されない。通信回線品質推定装置３は、例えば、通信波の信号電力成分の推定結果に相当する第一の電力計算部３０６の出力、すなわち第一の電力値を通信回線品質推定結果としてもよい。
【００４０】
また、本実施の形態では、平均化処理部３０８が第二の電力計算部３０７から受け渡された第二の電力値を送信シンボル間で平均化する処理を行っていたが、平均化処理部３０８の処理を省略してもよい。電力比計算部３０９は、第一の電力計算部３０６から受け渡された第一の電力値を、平均化処理部３０８から受け渡された平均化後の第二の電力値で割る計算を行っているが、平均化処理部３０８での平均化処理が省略されていても、計算結果としてのＳＮＲの大きさが異なるのみである。継続的に平均化処理部３０８の処理を省略しているのであれば、通信回線品質推定装置３では、電力比計算部３０９で計算された最新のＳＮＲと、電力比計算部３０９で過去に計算されたＳＮＲ、または電力比計算部３０９で今後計算されるＳＮＲとの比較において問題とはならない。平均化処理部３０８の処理を省略する場合、電力比計算部３０９は、ステップＳ１９において、第一の電力値を第二の電力値で割ることで、通信回線品質推定結果としてＳＮＲを算出する。
【００４１】
実施の形態２．
実施の形態２では、通信回線品質の変動周期を推定する。実施の形態１と異なる部分について説明する。
【００４２】
実施の形態２において、送信装置１の構成および動作は実施の形態１と同様である。図９は、実施の形態２にかかる受信装置２ａの構成例を示すブロック図である。受信装置２ａは、実施の形態１の受信装置２の構成に、比較部５００、微分処理部５０１、および周期算出部５０２を追加したものである。同様に、通信回線品質推定装置３ａは、実施の形態１の通信回線品質推定装置３の構成に、比較部５００、微分処理部５０１、および周期算出部５０２を追加したものである。通信回線品質推定装置３ａのうち、比較部５００、微分処理部５０１、および周期算出部５０２が、通信回線品質推定結果の時間変動を検出し、通信回線品質の変動周期を推定する変動周期推定部５０３を構成している。また、図１０は、実施の形態２にかかる受信装置２ａの動作を示すフローチャートである。図１０において、ステップＳ１１からステップＳ１９の処理は、図５に示したステップＳ１１からステップＳ１９の処理と同様である。受信装置２ａにおいて、電力比計算部３０９は、実施の形態１で説明した処理を行うことで、算出したＳＮＲを比較部５００に受け渡す。
【００４３】
比較部５００は、電力比計算部３０９から受け渡されたＳＮＲと、パラメータとして規定されたしきい値とを比較して、ＳＮＲを離散化する処理を行う（ステップＳ２０）。図１１は、実施の形態２にかかる通信回線品質推定装置３ａの比較部５００において離散化する対象のＳＮＲのイメージを例示する図である。図１１において、縦軸６００はＳＮＲを示す軸であり、横軸６０１は時間を示す軸である。また、図１１において、ＳＮＲ６０２は電力比計算部３０９から受け渡されたＳＮＲを示し、しきい値６０３はパラメータ設定されたしきい値を示す。ここで、離散化したＳＮＲとして、しきい値６０３以上のＳＮＲを表す値Ａ、およびしきい値６０３より小さいＳＮＲを表す値Ｂとする。比較部５００は、受け渡されたＳＮＲ６０２としきい値６０３とを比較し、しきい値６０３以上のＳＮＲに対して離散化したＳＮＲとして値Ａを割り当て、しきい値６０３より小さいＳＮＲに対して離散化したＳＮＲとして値Ｂを割り当てる処理を行う。
【００４４】
図１２は、実施の形態２にかかる通信回線品質推定装置３ａの比較部５００における処理結果である離散化したＳＮＲの第一の例を示す図である。図１２において、ＳＮＲ７００は離散化したＳＮＲを示す。図１２の例によると、離散化したＳＮＲは、時刻Ｔ１を境に値Ａから値Ｂに切り替わり、時刻Ｔ２を境に値Ｂから値Ａへ変化している。同様に、離散化したＳＮＲは、時刻Ｔ３を境に値Ａから値Ｂに切り替わり、時刻Ｔ４を境に値Ｂから値Ａへ変化している。すなわち、比較部５００は、ＳＮＲ６０２を離散化したＳＮＲに変換する。比較部５００は、離散化したＳＮＲを微分処理部５０１に受け渡す。
【００４５】
微分処理部５０１は、受け渡された入力信号である離散化したＳＮＲに対して微分を行い、微分値の符号から離散化したＳＮＲの変動、すなわち通信回線品質の変動を検出する（ステップＳ２１）。図１２を用いて具体的に説明すると、離散化したＳＮＲが一定値の区間では微分値＝０となり、離散化したＳＮＲが値Ａから値Ｂへ変化する時刻Ｔ１および時刻Ｔ３のタイミングでは微分値の符号は負となり、離散化したＳＮＲが値Ｂから値Ａへ変化する時刻Ｔ２および時刻Ｔ４のタイミングでは微分値の符号は正となる。微分処理部５０１は、算出した微分値を周期算出部５０２に受け渡す。
【００４６】
周期算出部５０２は、受け渡された微分値、すなわちＳＮＲの変動に基づいて、通信回線品質の変動周期を推定する（ステップＳ２２）。具体的に、周期算出部５０２は、微分値から通信回線品質が良い区間と悪い区間とを推定する。ここで、通信回線品質の良し悪しは離散化したＳＮＲに対して事前に定義しておくことができる。図１２の例では、離散化したＳＮＲは値Ａと値Ｂの２通りで値Ａ＞値Ｂであるので、離散化したＳＮＲ＝値Ａの区間は通信回線品質が良いと定義でき、離散化したＳＮＲ＝値Ｂの区間は通信回線品質が悪いと定義できる。周期算出部５０２は、例えば、微分値の符号が負となるタイミング間隔と、微分値の符号が正となるタイミング間隔との平均値を算出し、通信回線品質の変動周期として出力する。周期算出部５０２は、図１２の例では、時刻Ｔ３と時刻Ｔ１との間隔と、時刻Ｔ４と時刻Ｔ２との間隔との平均値を算出し、通信回線品質の変動周期とする。また、周期算出部５０２は、微分値の符号が負となるタイミングを通信回線品質の変動周期の起点として出力する。周期算出部５０２は、図１２の例では、時刻Ｔ１および時刻Ｔ３を変動周期の起点として出力する。
【００４７】
受信装置２ａは、通信回線品質推定装置３ａ、すなわち周期算出部５０２から出力された通信回線品質の変動周期およびその起点の情報を用いて、例えば、適応変調制御などの通信制御を行うための指針に使用することが可能となる。
【００４８】
なお、受信装置２ａのハードウェア構成については、実施の形態１の受信装置２と同様のハードウェア構成により実現可能である。受信装置２ａでは、相関処理部３０２、判定部３０３、サブキャリア合成部３０４、シンボル間合成部３０５、第一の電力計算部３０６、第二の電力計算部３０７、平均化処理部３０８、電力比計算部３０９、比較部５００、微分処理部５０１、および周期算出部５０２、すなわち通信回線品質推定装置３ａが処理回路により実現される。
【００４９】
以上説明したように、本実施の形態によれば、受信装置２ａにおいて、通信回線品質推定装置３ａでは、比較部５００が、電力比計算部３０９から受け渡されたＳＮＲに対してしきい値判定結果に基づいてＳＮＲを離散化し、微分処理部５０１が、離散化したＳＮＲの微分値を算出し、周期算出部５０２が、微分値から通信回線品質の変動周期を推定することとした。一般に、シンボル単位で推定した通信回線品質推定結果には誤差が含まれており、通信回線品質が変動するような環境に対して精度よく追従することは難しい。通信回線品質推定装置３ａは、本実施の形態の構成を用いることで、例えば、通信回線品質が周期性を持って変動するような環境における通信回線品質推定精度を向上し、適応変調制御などを用いた効率的な通信を実現することができる。
【００５０】
なお、本実施の形態では、周期算出部５０２は、通信回線品質の変動周期を算出する際、微分値の符号が負となるタイミング間隔と、微分値の符号が正となるタイミング間隔との平均値を求めていたがこれに限定されない。周期算出部５０２は、例えば、微分値の符号が負となるタイミングだけを用いて算出してもよいし、微分値の符号が正となるタイミングだけを用いて算出してもよい。また、周期算出部５０２は、微分値の符号が正および負になるタイミングを複数回観測し、微分値の符号が負となる複数のタイミング間隔および微分値の符号が正となる複数のタイミング間隔の平均値を用いて算出してもよい。また、周期算出部５０２は、変動周期の起点を微分値の符号が正となるタイミングに基づいて算出してもよい。
【００５１】
また、本実施の形態では、周期算出部５０２は、微分処理部５０１から受け渡された微分値の符号が正または負になると通信回線品質の変動周期を算出していたが、例えば、過去に算出された通信回線品質の変動周期と一致しないタイミングで出現した微分値の符号については通信回線品質の周期変動算出から除外してもよい。図１３は、実施の形態２にかかる通信回線品質推定装置３ａの比較部５００における処理結果である離散化したＳＮＲの第二の例を示す図である。図１３において、ＳＮＲ８００は離散化したＳＮＲを示す。図１３では、時刻Ｔ５，Ｔ７，Ｔ９，Ｔ１１，Ｔ１３のタイミングで微分値の符号が負になり、時刻Ｔ６，Ｔ８，Ｔ１０，Ｔ１２のタイミングで微分値の符号が正となる。また、図１３では、微分値の符号が負になる間隔は時刻Ｔ５から時刻Ｔ１１までの間で一定であり、微分値の符号が正になる間隔は時刻Ｔ６から時刻Ｔ１２までの間で一定である。一方、図１３では、時刻Ｔ１３と時刻Ｔ１１との間隔を見ると、時刻Ｔ１２までに観測されている周期より短い間隔で微分値の符号が負となっている。このような場合、周期算出部５０２は、時刻Ｔ１３の微分値の符号は推定誤差とみなして無視する。これにより、周期算出部５０２は、瞬時の通信回線品質推定精度に誤差がある場合でも、通信回線品質の変動周期および変動周期の起点を正確に算出できる。周期算出部５０２は、過去に算出した通信回線品質の変動周期と一致しているか否かの判定について、微小な誤差があるだけで不一致と判定してもよいし、あらかじめ定められた許容誤差値以上の誤差がある場合に不一致と判定してもよい。更に、周期算出部５０２は、過去に算出した通信回線品質の変動周期と一致しないと判定した回数が規定された回数になった場合、過去に算出した通信回線品質の変動周期をリセットし、新たに通信回線品質の変動周期を算出し直すようにしてもよい。
【００５２】
また、本実施の形態では、周期算出部５０２は、過去の通信回線品質の変動周期の算出方法として、同一の通信回線品質の変動周期が複数回観測された時点で通信回線品質の変動周期を確定してもよい。周期算出部５０２は、算出した通信回線品質の変動周期が同一であるか否かの判定について、例えば、算出した変動周期があらかじめ定めた許容誤差以内である場合に同一であるとみなしてもよい。
【００５３】
また、本実施の形態では、比較部５００は、離散化したＳＮＲを算出する処理において、図１１などの例では一つのしきい値６０３のみを用いて判定していたが、二つ以上のしきい値を用いて離散化したＳＮＲを算出してもよい。図１４は、実施の形態２にかかる通信回線品質推定装置３ａの比較部５００における処理結果である離散化したＳＮＲの第三の例を示す図である。図１４において、ＳＮＲ９００は二つのしきい値を用いて離散化したＳＮＲを示し、第一のしきい値９０１および第二のしきい値９０２はパラメータ設定されたしきい値を示す。ここで、離散化したＳＮＲとして第一のしきい値９０１以上のＳＮＲを値Ａ、第一のしきい値９０１より小さく、且つ、第二のしきい値９０２以上のＳＮＲを値Ｂ、および第二のしきい値９０２より小さいＳＮＲを値Ｃとする。比較部５００は、電力比計算部３０９から受け渡されたＳＮＲと、第一のしきい値９０１および第二のしきい値９０２とを比較する。比較部５００は、第一のしきい値９０１以上のＳＮＲが受け渡された場合は離散化したＳＮＲとして値Ａを割り当て、第一のしきい値９０１より小さく、且つ、第二のしきい値９０２以上のＳＮＲが受け渡された場合は離散化したＳＮＲとして値Ｂを割り当て、その他の場合は離散化したＳＮＲとして値Ｃを割り当てる処理を行う。この場合、三つの値に離散化したＳＮＲを受け渡された微分処理部５０１は、微分値の符号に加えて、微分値の絶対値も算出することができる。微分処理部５０１は、例えば、図１４に示す時刻Ｔ１４の微分処理において、微分値はＢ−Ａ、微分値の符号は負、微分値の絶対値は｜Ｂ−Ａ｜となる。同様に、微分処理部５０１は、時刻Ｔ１５の微分処理において、微分値はＣ−Ｂ、微分値の符号は負、微分値の絶対値は｜Ｃ−Ｂ｜となる。同様に、微分処理部５０１は、時刻Ｔ１６の微分処理において、微分値はＡ−Ｃ、微分値の符号は正、微分値の絶対値は｜Ａ−Ｃ｜となる。微分値の絶対値が大きいほど、離散化したＳＮＲの変動量が大きいことを示す。周期算出部５０２は、このような微分値の符号および絶対値に基づいて、変動周期を算出することができる。これにより、受信装置２ａは、通信回線品質推定をより細かい精度で実施でき、通信制御を柔軟に行うことによる通信効率向上が期待できる。
【００５４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５５】
１  送信装置、２，２ａ  受信装置、３，３ａ  通信回線品質推定装置、１００  シンボル生成部、１０１  送信高周波処理部、１０２  送信アンテナ、３００  受信アンテナ、３０１  受信高周波処理部、３０２  相関処理部、３０３  判定部、３０４  サブキャリア合成部、３０５  シンボル間合成部、３０６  第一の電力計算部、３０７  第二の電力計算部、３０８  平均化処理部、３０９  電力比計算部、３１０  合成部、５００  比較部、５０１  微分処理部、５０２  周期算出部、５０３  変動周期推定部。
【図１】
2018163290.tif 000003
【図２】
2018163290.tif 000004
【図３】
2018163290.tif 000005
【図４】
2018163290.tif 000006
【図５】
2018163290.tif 000007
【図６】
2018163290.tif 000008
【図７】
2018163290.tif 000009
【図８】
2018163290.tif 000010
【図９】
2018163290.tif 000011
【図１０】
2018163290.tif 000012
【図１１】
2018163290.tif 000013
【図１２】
2018163290.tif 000014
【図１３】
2018163290.tif 000015
【図１４】
2018163290.tif 000016
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
第一の数の直交系列のうち第一の数より小さい第二の数の直交系列から選択された直交系列を用いて生成された信号を受信した受信信号に対して、前記第一の数の直交系列と同一の直交系列を用いて相関処理を行う相関処理部と、
前記相関処理部の相関処理結果である相関値のうち、前記第二の数の直交系列に対応する相関値を合成する合成部と、
前記合成部で合成された相関値を用いて第一の電力値を算出する第一の電力計算部と、
を備え、
前記第一の電力値を通信回線品質推定結果とすることを特徴とする通信回線品質推定装置。
【請求項２】
前記相関処理部の相関処理結果である相関値のうち、前記第一の数の直交系列のうち前記第二の数の直交系列以外の直交系列に対応する相関値を用いて第二の電力値を算出する第二の電力計算部と、
前記第一の電力値および前記第二の電力値に基づいて通信回線品質推定を行う電力比較部と、
を備え、
前記電力比較部で推定された結果を通信回線品質推定結果とすることを特徴とする請求項１に記載の通信回線品質推定装置。
【請求項３】
前記通信回線品質推定結果に基づいて、通信回線品質の変動周期を推定する変動周期推定部、
を備えることを特徴とする請求項１または２に記載の通信回線品質推定装置。
【請求項４】
前記変動周期推定部は、
前記通信回線品質推定結果と規定されたしきい値とを比較し、前記通信回線品質推定結果を離散化した通信回線品質推定結果に変換する比較部と、
前記離散化した通信回線品質推定結果に基づいて通信回線品質の変動を検出する微分処理部と、
前記通信回線品質の変動に基づいて、前記通信回線品質の変動周期を推定する周期算出部と、
を備えることを特徴とする請求項３に記載の通信回線品質推定装置。
【請求項５】
第一の数の直交系列のうち第一の数より小さい第二の数の直交系列から選択した直交系列を用いて信号を生成するシンボル生成部と、
前記シンボル生成部で生成された前記信号を、請求項１から４のいずれか１つに記載の通信回線品質推定装置を備える受信装置に送信する送信部と、
を備えることを特徴とする送信装置。
【請求項６】
相関処理部が、第一の数の直交系列のうち第一の数より小さい第二の数の直交系列から選択された直交系列を用いて生成された信号を受信した受信信号に対して、前記第一の数の直交系列と同一の直交系列を用いて相関処理を行う相関処理ステップと、
合成部が、前記相関処理ステップでの相関処理結果である相関値のうち、前記第二の数の直交系列に対応する相関値を合成する合成ステップと、
第一の電力計算部が、前記合成ステップで合成された相関値を用いて第一の電力値を算出する第一の電力計算ステップと、
を含み、
前記第一の電力値を通信回線品質推定結果とすることを特徴とする通信回線品質推定方法。
【請求項７】
さらに、
第二の電力計算部が、前記相関処理ステップでの相関処理結果である相関値のうち、前記第一の数の直交系列のうち前記第二の数の直交系列以外の直交系列に対応する相関値を用いて第二の電力値を算出する第二の電力計算ステップと、
電力比較部が、前記第一の電力値および前記第二の電力値に基づいて通信回線品質推定を行う電力比較ステップと、
を含み、
前記電力比較ステップで推定された結果を通信回線品質推定結果とすることを特徴とする請求項６に記載の通信回線品質推定方法。
【手続補正２】
【補正対象書類名】明細書
【補正対象項目名】０００８
【補正方法】変更
【補正の内容】
【０００８】
上述した課題を解決し、目的を達成するために、本発明の通信回線品質推定装置は、第一の数の直交系列のうち第一の数より小さい第二の数の直交系列から選択された直交系列を用いて生成された信号を受信した受信信号に対して、第一の数の直交系列と同一の直交系列を用いて相関処理を行う相関処理部を備える。また、通信回線品質推定装置は、相関処理部の相関処理結果である相関値のうち、第二の数の直交系列に対応する相関値を合成する合成部を備える。また、通信回線品質推定装置は、合成部で合成された相関値を用いて第一の電力値を算出する第一の電力計算部を備える。通信回線品質推定装置は、第一の電力値を通信回線品質推定結果とすることを特徴とする。
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
第一の数の直交系列のうち第一の数より小さい第二の数の直交系列から選択された直交系列を用いて生成された信号を受信した受信信号に対して、前記第一の数の直交系列と同一の直交系列を用いて前記第一の数に基づく相関処理を行う相関処理部と、
前記相関処理部の相関処理結果である相関値のうち、前記第二の数の直交系列に対応する相関値を合成する合成部と、
前記合成部で合成された相関値を用いて第一の電力値を算出する第一の電力計算部と、
を備え、
前記第一の電力値を通信回線品質推定結果とすることを特徴とする通信回線品質推定装置。
【請求項２】
第一の数の直交系列のうち第一の数より小さい第二の数の直交系列から選択された直交系列を用いて生成された信号を受信した受信信号に対して、前記第一の数の直交系列と同一の直交系列を用いて前記第一の数に基づく相関処理を行う相関処理部と、
前記相関処理部の相関処理結果である相関値のうち、前記第二の数の直交系列に対応する相関値を合成する合成部と、
前記合成部で合成された相関値を用いて第一の電力値を算出する第一の電力計算部と、
前記相関処理部の相関処理結果である相関値のうち、前記第一の数の直交系列のうち前記第二の数の直交系列以外の直交系列に対応する相関値を用いて第二の電力値を算出する第二の電力計算部と、
前記第一の電力値および前記第二の電力値に基づいて通信回線品質推定を行う電力比較部と、
を備え、
前記電力比較部で推定された結果を通信回線品質推定結果とすることを特徴とする通信回線品質推定装置。
【請求項３】
前記通信回線品質推定結果に基づいて、通信回線品質の変動周期を推定する変動周期推定部、
を備えることを特徴とする請求項１または２に記載の通信回線品質推定装置。
【請求項４】
前記変動周期推定部は、
前記通信回線品質推定結果と規定されたしきい値とを比較し、前記通信回線品質推定結果を離散化した通信回線品質推定結果に変換する比較部と、
前記離散化した通信回線品質推定結果に基づいて通信回線品質の変動を検出する微分処理部と、
前記通信回線品質の変動に基づいて、前記通信回線品質の変動周期を推定する周期算出部と、
を備えることを特徴とする請求項３に記載の通信回線品質推定装置。
【請求項５】
相関処理部が、第一の数の直交系列のうち第一の数より小さい第二の数の直交系列から選択された直交系列を用いて生成された信号を受信した受信信号に対して、前記第一の数の直交系列と同一の直交系列を用いて前記第一の数に基づく相関処理を行う相関処理ステップと、
合成部が、前記相関処理ステップでの相関処理結果である相関値のうち、前記第二の数の直交系列に対応する相関値を合成する合成ステップと、
第一の電力計算部が、前記合成ステップで合成された相関値を用いて第一の電力値を算出する第一の電力計算ステップと、
を含み、
前記第一の電力値を通信回線品質推定結果とすることを特徴とする通信回線品質推定方法。
【請求項６】
相関処理部が、第一の数の直交系列のうち第一の数より小さい第二の数の直交系列から選択された直交系列を用いて生成された信号を受信した受信信号に対して、前記第一の数の直交系列と同一の直交系列を用いて前記第一の数に基づく相関処理を行う相関処理ステップと、
合成部が、前記相関処理ステップでの相関処理結果である相関値のうち、前記第二の数の直交系列に対応する相関値を合成する合成ステップと、
第一の電力計算部が、前記合成ステップで合成された相関値を用いて第一の電力値を算出する第一の電力計算ステップと、
第二の電力計算部が、前記相関処理ステップでの相関処理結果である相関値のうち、前記第一の数の直交系列のうち前記第二の数の直交系列以外の直交系列に対応する相関値を用いて第二の電力値を算出する第二の電力計算ステップと、
電力比較部が、前記第一の電力値および前記第二の電力値に基づいて通信回線品質推定を行う電力比較ステップと、
を含み、
前記電力比較ステップで推定された結果を通信回線品質推定結果とすることを特徴とする通信回線品質推定方法。
【手続補正３】
【補正対象書類名】明細書
【補正対象項目名】０００８
【補正方法】変更
【補正の内容】
【０００８】
上述した課題を解決し、目的を達成するために、本発明の通信回線品質推定装置は、第一の数の直交系列のうち第一の数より小さい第二の数の直交系列から選択された直交系列を用いて生成された信号を受信した受信信号に対して、第一の数の直交系列と同一の直交系列を用いて第一の数に基づく相関処理を行う相関処理部を備える。また、通信回線品質推定装置は、相関処理部の相関処理結果である相関値のうち、第二の数の直交系列に対応する相関値を合成する合成部を備える。また、通信回線品質推定装置は、合成部で合成された相関値を用いて第一の電力値を算出する第一の電力計算部を備える。通信回線品質推定装置は、第一の電力値を通信回線品質推定結果とすることを特徴とする。
【国際調査報告】
2018163290.tif 000017
2018163290.tif 000018
2018163290.tif 000019
2018163290.tif 000020